(57)【特許請求の範囲】
【請求項１】
吸気口および排気口，排油口を有するケーシングと、
ファン側板に取付けられた多数の羽根を備えケーシング外部からモータにより回転されて前記吸気口から含ミスト空気を吸込んで前記羽根間の強制風路を経て遠心方向へ圧送する吸気ファンと、
前記吸気ファンの強制風路に間隔をおいて植設された多数のミスト捕捉体と、
を備えてなることを特徴とするミスト凝集捕捉ファン。
【請求項２】
ミスト捕捉体が集束された多数の線条からなる請求項１記載のミスト凝集捕捉ファン。
【請求項３】
ミスト捕捉体が１条の線条からなる請求項１記載のミスト凝集捕捉ファン。
【請求項４】
ミスト捕捉体の高さが、強制風路の上流側が低く下流側が高く形成されてなる請求項１乃至３記載のミスト凝集捕捉ファン。
【請求項５】
多数のミスト捕捉体の高さが、同一高さに形成されて請求項１乃至３記載のミスト凝集捕捉ファン。
【請求項６】
ミスト捕捉体が、斜め格子状に植設されてなる請求項１乃至５記載のミスト凝集捕捉ファン。
【請求項７】
ミスト捕捉体が、羽根に植設されてなる請求項１乃至６記載のミスト凝集捕捉ファン。
【請求項８】
ミスト捕捉体が、ファン側板に植設されてなる請求項１乃至５記載のミスト凝集捕捉ファン。
【請求項９】
ミスト捕捉体が、羽根およびファン側板に植設されてなる請求項１乃至６記載のミスト凝集捕捉ファン。
【発明の詳細な説明】
【０００１】
【産業上の利用分野】
この発明は油塵等のミストを凝集捕捉するミスト凝集捕捉ファンに関する。
【０００２】
【従来の技術】
近来、機械部品加工時等に発生する浮遊微粒子状物質（ミスト）は、ますます増加し微細化の傾向にある。
【０００３】
従来、このような含ミスト空気を吸込んでミストを除去する装置として、ファンに取付けたバツフルで、ミストを捕捉除去するようにしたバツフル付ファンや、風路に取付けたフィルタで、ミストを捕捉除去するようにしたフィルタ付ファンが知られている。ここでファンとは、プレートファン，ラジアルターボファン，ターボファン，シロッコファン等の遠心式のファンをいう。
【０００４】
【発明考案が解決しようとする問題点】
しかし、上記従来のファンにおいては、例えば、バツフル付ファンは、ファンの運転騒音が大きく、ファン効率が低くなるとともに、ミストがバッフル面に当たって飛散し特に微細ミストの捕捉ができないという問題があった。
【０００５】
フィルタ付ファンは、フィルタが捕捉したミストにより徐々に目詰りして飽和状態となり、吸込み風量が減少してミスト捕捉効率が低下し、頻繁なフィルタ交換や洗浄を必要とするという問題があった。また風路で細径の繊維に衝突させる方法では、ミストの衝突スピードが上がらず、微細ミストが捕捉できないという問題があった。
【０００６】
この発明は上記にかんがみてなされたものであり、その目的とするところは、微細ミストを効率よく捕捉できるともにファン効率の高いミスト凝集捕捉ファンを提供しようとするものである。
【０００７】
【課題を解決するための手段】
この発明は上記目的を達成するためになされたものであり、
本発明のミスト凝集捕捉ファンは、吸気口および排気口，排油口を有するケーシングと、ファン側板に取付けられた多数の羽根を備えケーシング外部からモータにより回転されて前記吸気口から含ミスト空気を吸込んで前記羽根間の強制風路を経て遠心方向へ圧送する吸気ファンと、前記吸気ファンの強制風路に間隔をおいて植設された多数のミスト捕捉体と、を備えてなることを特徴とするミスト凝集捕捉ファンである。
【０００８】
また、ミスト捕捉体は集束された多数の線条により構成されることが好ましい。
【０００９】
また、ミスト捕捉体が１条の線条により構成されてもよい。
【００１０】
また、ミスト捕捉体の高さが、強制風路の上流側が低く下流側が高く形成されてなることが好ましい。
【００１１】
また、多数のミスト捕捉体の高さが、同一高さに形成されてもよい。
【００１２】
また、ミスト捕捉体が、斜め格子状に植設されてなることが好ましい。
【００１３】
また、ミスト捕捉体が、羽根に植設されてなることが好ましい。
【００１４】
また、ミスト捕捉体が、ファン側板に植設されてもよい。
【００１５】
また、ミスト捕捉体が、羽根およびファン側板に植設されてもよい。
【００１６】
【作用】
この発明は上記のように構成されたものであり、吸気ファンが回転すると、含ミスト空気が吸気口よりケーシング内に吸入され、吸気ファンの中央部へ導入される。
【００１７】
吸気ファンの中央部へ導入された含ミスト空気は、羽根間の強制風路内を、ミスト捕捉体に高速で繰り返し衝突しながら遠心方向へ速度を高めて圧送され、ケーシング内周壁に向かって吐出される。
【００１８】
このとき、ミストはミスト捕捉体に凝集捕捉されるとともに、後続して凝集捕捉するミストにより油滴に成長して、吸気ファンの遠心力でケーシング内周壁に向かって飛散し、付着して、排油口から排出される。また、ミストが除去された空気は、排気口からケーシング外へ排気される。
【００１９】
【実施例】
以下、この発明のミスト凝集捕捉ファンの実施例を図面に基づいて説明する。
【００２０】
図１は第１実施例のミスト凝集捕捉ファンの側断面図、図２は吸気ファンの部分破断正面図である。
【００２１】
本発明のミスト凝集捕捉ファンは、ケーシング１と、ファン側板１７，１８間に取付けられた多数の羽根２０を備えた吸気ファン１５と、吸気ファン１５に植設された多数のミスト捕捉体２５とを備えて構成されている。
【００２２】
ケーシング１は、回転する吸気ファン１５を収容可能に形成されており、一側面に開口部２が設けられ、他側面に排気口４が設けられ、底部に排油口５が設けられている。なお、ケーシング１内の符号３は内周壁を示し、底部には設置用のスタンド部６が形成されている。
【００２３】
ケーシング１の開口部２には、中央部に吸気口８を有するケーシングカバー７がボルト９により固着されている。また、吸気口８には、固形浮遊物除去用の補助フィルタ１０がボルト１１により固定されている。
【００２４】
一方、ケーシング１の開口部２の反対側には、モータ１２がボルト１４で取付けられており、そのモータ軸１３に吸気ファン１５がセットビス２８にて固定されている。
【００２５】
吸気ファン１５は、モータ軸１３取付け用のファンブラケット１６と、その外周側に固着されたファン側板１７と、ファン側板１７に相対するとともに開口部１８ａを有するファン側板１８と、両ファン側板１７，１８間に架設状に固着された多数の羽根２０とによりターボファンを構成している。そして、吸気ファン１５の各羽根２０の一側には、それぞれ多数のミスト捕捉体２５が植設されている。
【００２６】
ミスト捕捉体２５は、実施例では、高さ（Ｈ）別にミスト捕捉体２５ａ〜２５ｄとして形成され、それぞれステンレス鋼の直径０．１５ｍｍの多数の線条の集束体に構成されている。このミスト捕捉体２５ａ〜２５ｄは、ブラシ基板２６を介して羽根２０に所定間隔をおいて植設されるとともに、ファン側板１７，１８に平行して強制風路２２内に突出するように立設されている。
【００２７】
ミスト捕捉体２５ａ〜２５ｄの高さ（Ｈ）は、ミスト捕捉体２５ａが最も低く、順次高さ（Ｈ）を増してミスト捕捉体２５ｄが最も高く形成されている。そして、図２に示すように、強制風路２２の上流側（吸気ファン１５の内周側）にミスト捕捉体２５ａが植設され、同、下流側（外周側）へ向けて順次ミスト捕捉体２５ｂ，２５ｃが植設され、最下流側にミスト捕捉体２５ｄが植設されている。
【００２８】
また、各ミスト捕捉体２５ａ〜２５ｄは、図１に示すように、内周側の列に対し次の外周側の列を１／２ピッチずらした斜め格子目状に植設されている。なお、ミスト捕捉体２５ａ〜２５ｄは、それぞれ合成樹脂製の線条であってもよい。
【００２９】
次に、このように構成されたミスト凝集捕捉ファンの動作について説明する。
【００３０】
モータ１２を回転すると、吸気ファン１５の羽根２０の回転に伴う吸引力により、含ミスト空気が補助フィルター１０から開口部１８ａを経て吸気ファン１５の中央部に導入される。このとき、含ミスト空気中の固形浮遊物が、補助フィルタ１０により捕捉除去される。
【００３１】
吸気ファン１５の中央部に導入された含ミスト空気は、吸気ファン１５の隣接する羽根２０，２０間の強制風路２２を経て遠心方向へ通過する。このとき、含ミスト空気は、始め低いミスト捕捉体２５ａに衝突し、続いて、順次高いミスト捕捉体２５ｂ〜２５ｄと衝突して、含ミスト空気中のミストは、それぞれの線条の表面および線条間の隙間に付着する。
【００３２】
そして、後続して付着するミストとともに、高速での衝突、凝集、捕捉を繰返して油滴に成長し、ついには、吸気ファン１５の遠心力によりミスト捕捉体２５ａ〜２５ｄから離れて飛散し、ケーシング１の内周壁３に付着する。内周壁３に付着した油滴は、内周壁３を伝って流下し、排油口５から排出される。一方、ミスト捕捉体２５ａ〜２５ｄによりミストが除去された清浄な空気は、排気口４からケーシング１外へ排気される。
【００３３】
図４，５は、この発明の他の実施例を示し、ミスト捕捉体の植設構造に特徴を有する。なお、以下の説明では第１実施例との重複部分については同一符号を付して説明を省略する。
【００３４】
この第２実施例では、ミスト捕捉体２５ｄの高さ（Ｈ）よりも高く形成されたミスト捕捉体２５ｅが用いられ、このミスト捕捉体２５ｅが、ファン側板１７およびファン側板１８に、それぞれ所定間隔をおいて交互に相対するように立設されている。このミスト捕捉体２５ｅを備えた吸気ファン１５は、第１実施例とほぼ同様の作用、効果を奏する。この第２実施例において、ミスト捕捉体２５をファン側板１７，１８間に架設状に設けてもよい。この場合、ミスト捕捉体２５は人造繊維等からなる糸であってもよい。
【００３５】
なお、この発明は上述の説明および図例に限定されることなく、この発明の技術的思想から逸脱しない範囲において、その実施態様を変更することができる。例えば、ミスト捕捉体は、直径１〜２ｍｍ程度の１本の線条により形成されたものであってもよい。また、ミスト捕捉体の高さ（Ｈ）は上流側から下流側にかけて同一の高さのものを植設してもよい。さらに、ミスト捕捉体は、羽根とファン側板との両者にそれぞれ植設して構成してもよい。
【００３６】
また、本ミスト凝集捕捉ファンを複数個直列にして構成することにより、一層の高負荷とミストの微細化に対応することが可能である。
【００３７】
【発明の効果】
以上説明したように本発明のミスト凝集捕捉ファンによれば、風速が最も高速な箇所で、ミスト捕捉体により繰返しミストを凝集捕捉しているので、微細ミストを効率よく捕捉することができる。
【００３８】
また、ミスト捕捉体がブラシ状に形成されているので、ファンの空気抵抗が小さく、ファン効率を高めることができる。
【００３９】
さらに、ミストを捕捉するミスト捕捉体は、従来のフィルタのように目詰まりすることがなく、保全のための手間を削減することができる効果を奏する。
【図面の簡単な説明】
【図１】本発明の実施例のミスト凝集捕捉ファンの側断面図。
【図２】吸気ファンの部分破断正面図。
【図３】ミスト捕捉体を示す正面図。
【図４】本発明の第２実施例を示す部分側断面図。
【図５】図４のＡ−Ａ線断面図。
【符号の説明】
１                  ケーシング
１５                  吸気ファン
１７，１８            ファン側板
２０                  羽根
２５，２５ａ，２５ｂ，２５ｃ，２５ｄ，２５ｅ      ミスト捕捉体
【図１】
0003610526.tif 000002
【図２】
0003610526.tif 000003
【図３】
0003610526.tif 000004
【図４】
0003610526.tif 000005
【図５】
0003610526.tif 000006